(57)【要約】【課題】適切な時機に外部アンテナが接続されているか否かを検出する移動通信端末装置を提供する。【解決手段】移動通信端末装置の制御部は、ＳＬＯＴ受信時、受信に係わる各部に電源が供給された時刻Ｔ２以降に外部アンテナが接続されているか否かを検出して、アンテナ切り替えを行う。一方、時刻Ｔ５〜時刻Ｔ６の間の連続受信の際、所定の時間間隔で外部アンテナが接続されているか否かを検出して、接続されているか否かに変化があった場合、アンテナ切り替えを行う。【選択図】図５
2008301040.tif 000002
【特許請求の範囲】
【請求項１】
内部アンテナと、
外部アンテナが接続される外部アンテナ接続手段と、
前記内部アンテナと、前記外部アンテナ接続手段に接続された外部アンテナとのいずれか一方に切り替えるアンテナスイッチ手段と、
前記アンテナスイッチ手段によって切り替えられたアンテナによって受信された高周波信号を受信する受信手段と、
装置が待ち受け状態にある際、前記受信手段に待ち受け受信信号を受信させて間欠受信を行う制御手段とを有し、
前記制御手段は、前記間欠受信の所定の動作を行った時刻から、前記所定の動作を行った時刻に前記所定の動作を行ってから前記受信手段が待ち受け受信信号の受信を開始するまでの時間を加え前記アンテナスイッチ手段によるアンテナ切り替えに要する時間を減じた時刻までの間に、前記アンテナスイッチ手段に対してアンテナを切り替えさせる制御を行う
ことを特徴とする移動通信端末装置。
【請求項２】
内部アンテナと、
外部アンテナが接続される外部アンテナ接続手段と、
前記内部アンテナと、前記外部アンテナ接続手段に接続された外部アンテナとのいずれか一方に切り替えるアンテナスイッチ手段と、
前記アンテナスイッチ手段によって切り替えられたアンテナによって受信された高周波信号を受信する受信手段と、
装置が待ち受け状態にある際、前記受信手段へ電源を供給させ、待ち受け受信信号を受信させて間欠受信を行う制御手段とを有し、
前記制御手段は、前記受信手段へ電源を供給させた時刻から、前記受信手段へ電源を供給させた時刻に前記受信手段へ電源を供給させてから前記受信手段が待ち受け受信信号の受信を開始するまでの時間を加え前記アンテナスイッチ手段によるアンテナ切り替えに要する時間を減じた時刻までの間に、前記アンテナスイッチ手段に対してアンテナを切り替えさせる制御を行う
ことを特徴とする移動通信端末装置。
【請求項３】
内部アンテナと、
外部アンテナが接続される外部アンテナ接続手段と、
前記内部アンテナと、前記外部アンテナ接続手段に接続された外部アンテナとのいずれか一方に切り替えるアンテナスイッチ手段と、
前記アンテナスイッチ手段によって切り替えられたアンテナによって受信された高周波信号を受信する受信手段と、
装置が待ち受け状態にある際、前記受信手段を動作させ、待ち受け受信信号を受信させて間欠受信を行う制御手段とを有し、
前記制御手段は、前記受信手段を動作させた時刻から、前記受信手段を動作させた時刻に前記受信手段を動作させてから前記受信手段が待ち受け受信信号の受信を開始するまでの時間を加え前記アンテナスイッチ手段によるアンテナ切り替えに要する時間を減じた時刻までの間に、前記アンテナスイッチ手段に対してアンテナを切り替えさせる制御を行う
ことを特徴とする移動通信端末装置。
【請求項４】
前記制御手段は、１回の前記間欠受信の間に、前記アンテナスイッチ手段にアンテナを切り替えさせる制御を１回行う
ことを特徴とする請求項１ないし請求項３のいずれか１項に記載の移動通信端末装置。
【請求項５】
前記制御手段は、前記間欠受信に継続して前記受信手段に連続受信を行わせる場合、システムロスト閾値未満の時間間隔で前記アンテナスイッチ手段にアンテナを切り替えさせる制御を行う
ことを特徴とする請求項１ないし請求項３のいずれか１項に記載の移動通信端末装置。
【請求項６】
内部アンテナと、
外部アンテナが接続される外部アンテナ接続手段と、
前記内部アンテナと、前記外部アンテナ接続手段に接続された外部アンテナとのいずれか一方に切り替えるアンテナスイッチ手段と、
前記アンテナスイッチ手段によって切り替えられたアンテナによって受信された高周波信号を受信する受信手段と、
装置が連続受信の状態にある際、システムロスト閾値未満の時間間隔で前記アンテナスイッチ手段にアンテナを切り替えさせる制御を行う制御手段とを有する
ことを特徴とする移動通信端末装置。
【請求項７】
前記制御手段は、前記外部アンテナ接続手段に外部アンテナが接続されている場合、前記アンテナスイッチ手段を制御して前記外部アンテナ接続手段に接続された外部アンテナに切り替えさせ、前記外部アンテナ接続手段に外部アンテナが接続されていない場合、前記アンテナスイッチ手段を制御して前記内部アンテナに切り替えさせる
ことを特徴とする請求項１ないし請求項３及び請求項６のいずれか１項に記載の移動通信端末装置。
【請求項８】
前記制御手段は、前記外部アンテナ接続手段に外部アンテナが接続されている場合、前記アンテナスイッチ手段を制御して、前記外部アンテナ接続手段に接続された外部アンテナと、前記内部アンテナとの一方であって、受信された高周波信号の品質が高いアンテナに切り替えさせる
ことを特徴とする請求項１ないし請求項３及び請求項６のいずれか１項に記載の移動通信端末装置。
【発明の詳細な説明】
【技術分野】
【０００１】
本発明は、移動通信端末装置に係り、特に、外部アンテナが接続された際のアンテナ切り替え処理に関する。
【背景技術】
【０００２】
ＣＤＭＡ（Code Division Multiple Access）方式などで通信を行う移動通信端末装置は、外部アンテナが接続される接続部を有し、その接続部を介して接続された外部アンテナと、内部アンテナとを用いて待ち受け基地局（Serving Cell）から送信された電波を受信する処理が知られている。
【０００３】
この２つのアンテナを用いる処理によって、その基地局から送信される待ち受け受信信号を受信する間欠受信が不可能になる可能性を低減することができる。また、その基地局との間の通信が所定時間を越えて途絶えることによるシステムロスト発生の可能性を低減することができる。
【０００４】
通常、外部アンテナによって受信された電波の品質は、内部アンテナによって受信された電波の品質より高い。ここで、電波の品質は、その電波によって得られた高周波信号の強度や信号対雑音電力比などによって測定する。そこで、接続部は、外部アンテナが接続されているか否かを検出する機能を備え、外部アンテナが接続されたことが検出された場合、装置は、受信に用いるアンテナとして外部アンテナを選択し、選択された外部アンテナを切り替えて受信に用いる。または、２つのアンテナによって受信された信号を対象に、ダイバーシティ受信を行う（例えば、特許文献１参照。）。
【特許文献１】特開２００６−１２１４８４号公報（第２頁、図１）
【発明の開示】
【発明が解決しようとする課題】
【０００５】
ここで、アンテナを切り替える処理や、ダイバーシティ受信に切り替える処理には、所定の時間が必要であって、その時間の間、信号の受信に支障がある可能性がある。また、これらの切り替えを指示する信号は、受信される信号に対してノイズとなる恐れが皆無ではない。また、ＣＰＵの起動直後には、ＣＰＵが切り替え指示を行っても、切り替え部が未動作であれば、切り替えが遅れ、または、切り替えが行われない恐れが皆無ではない。
【０００６】
更には、連続受信時、即ち、受信動作が連続して行われる際、外部アンテナが接続されているか否かを検出する周期が短い場合、検出結果が変わらない場合であっても検出負荷は増大し、一方、その周期が長い場合、外部アンテナの接続が行われたことの検出が遅れることによってシステムロスト発生の恐れが皆無ではない。
【０００７】
しかしながら、上述した特許文献１には、外部アンテナが接続されているか否かを検出する時機及び時間間隔については開示されていない。そこで、外部アンテナが接続されているか否かを検出する適切な時機及び時間間隔が明らかでない問題点があった。
【０００８】
本発明は、上記問題点を解決するためになされたもので、適切な時機に外部アンテナが接続されているか否かを検出する移動通信端末装置を提供することを目的とする。
【課題を解決するための手段】
【０００９】
上記目的を達成するために、本発明の移動通信端末装置は、内部アンテナと、外部アンテナが接続される外部アンテナ接続手段と、前記内部アンテナと、前記外部アンテナ接続手段に接続された外部アンテナとのいずれか一方に切り替えるアンテナスイッチ手段と、前記アンテナスイッチ手段によって切り替えられたアンテナによって受信された高周波信号を受信する受信手段と、装置が待ち受け状態にある際、前記受信手段に待ち受け受信信号を受信させて間欠受信を行う制御手段とを有し、前記制御手段は、前記間欠受信の所定の動作を行った時刻から、前記所定の動作を行った時刻に前記所定の動作を行ってから前記受信手段が待ち受け受信信号の受信を開始するまでの時間を加え前記アンテナスイッチ手段によるアンテナ切り替えに要する時間を減じた時刻までの間に、前記アンテナスイッチ手段に対してアンテナを切り替えさせる制御を行うことを特徴とする。
【発明の効果】
【００１０】
本発明によれば、適切な時機に外部アンテナが接続されているか否かを検出することができる。
【発明を実施するための最良の形態】
【００１１】
以下に、本発明による移動通信端末装置の実施の形態を、図面を参照して説明する。図１は、本発明の実施の形態に係る移動通信端末装置の構成を示すブロック図である。この移動通信端末装置は、アンテナ切り替えの制御を含む、装置全体の制御を行う制御部１１と、外部アンテナが直接に、またはケーブルを介して接続される外部アンテナ接続部１２と、アンテナスイッチ部１３と、内部アンテナ１３ａと、通信部１４と、送受信部１５と、受話用のスピーカ１６ａと、送話用のマイクロフォン１６ｂと、通話部１６ｃと、表示部１７と、入力装置１８と、装置の各部に電力を供給する蓄電池を含む電源部２１とからなる。
【００１２】
上記のように構成された、本発明の実施形態に係る移動通信端末装置の各部の動作を図１を参照して説明する。制御部１１は、装置が待ち受け状態にある際、間欠起床し、ＳＬＯＴ受信、即ち、待ち受け動作を行う。また、待ち受け動作中に着信信号が受信された場合、及び、入力装置１８の所定の操作がされた場合、装置の各部を制御して、通話通信をさせる。通話動作は、連続受信動作を伴う。
【００１３】
また、制御部１１は、待ち受け動作を行う場合、及び通話通信をさせる場合、所定の手順に従って、装置の各部の電源部２１から電力を供給させ、また、その供給を遮断させる。更に、所定の時機に、通信部１４が受信に用いるアンテナは、外部アンテナ接続部１２に接続された外部アンテナと、内部アンテナ１３ａとのいずれの一方が適切かを判断し、受信に用いるアンテナを切り替えることが適切と判断された場合、アンテナスイッチ部１３を制御して、アンテナを切り替えさせる。なお、以後、外部アンテナ接続部１２に接続された外部アンテナを、単に外部アンテナと称する。
【００１４】
外部アンテナ接続部１２には、直接に、またはケーブルを介して外部アンテナが接続される。そして、外部アンテナ接続部１２は、問い合わせに応じて、外部アンテナが接続されているか否かを回答する。
【００１５】
アンテナスイッチ部１３は、制御に従って、外部アンテナと、内部アンテナ１３ａとの一方を選択し、選択されたアンテナに切り替えて、受信用アンテナとして通信部１４と接続させる。送信用アンテナとしては、常に内部アンテナ１３ａを選択し、内部アンテナ１３ａと、通信部１４とを接続させる。通信部１４は、アンテナスイッチ部１３によって切り替えられたアンテナによって受信された高周波信号を送受信部１５へ送り、また、送受信部１５から送られた高周波信号を、アンテナスイッチ部１３を介して内部アンテナ１３ａより送信する。
【００１６】
送受信部１５は、通信部１４からの高周波信号を増幅、周波数変換及び復調し、それによってディジタル信号を得て、得られた通話音声データを通話部１６ｃに、制御信号を制御部１１に送る。更には、送受信部１５は、ディジタル信号、即ち、通話部１６ｃから送られる通話音声データ、及び制御部１１から送られる制御信号を変調、周波数変換及び増幅し、高周波信号を得て、それを通信部１４に送る。
【００１７】
通話部１６ｃは、送受信部１５から送られるディジタル音声データをアナログ音声データに変換し、それを増幅してスピーカ１６ａに送る。また、マイクロフォン１６ｂによって入力されたアナログ音声データを増幅し、それをディジタル音声データに変換して送受信部１５に送信する。
【００１８】
表示部１７は、制御部１１に制御されることで、文字・数字や映像データの表示動作を行い、表示されているデータは、入力装置１８からの入力操作や着信信号に応答して制御部１１からの指示を受けることで切換わる。
【００１９】
入力装置１８は、通信相手の電話番号などを指定するための数字キーと複数の機能キーを含むキーからなる。そして、入力装置１８のキーが操作されると、そのキーの識別子が制御部１１に通知され、制御部１１によって、表示部１７に文字として表示され、または、制御が行われる。
【００２０】
以下、本実施形態に係る移動通信端末装置における、アンテナ切り替え制御動作を説明する。図２は、ＳＬＯＴ受信時の制御部１１の制御動作のフローチャートを示し、図３は、ＳＬＯＴ受信時に、アンテナ切り替え制御が行われる時刻と、アンテナ切り替えが可能な時刻とを示す。
【００２１】
制御部１１は、例えば５．１２秒間隔での間欠起床によってＣＰＵが起動されてＳＬＯＴ受信を開始し（ステップＳ１０１、図３の時刻Ｔ１）、所定の時間経過後、電源部２１を制御して、受信に係わる各部に電源を供給させる（ステップＳ１０２、図３の時刻Ｔ２）。ここで、受信に係わる各部とは、外部アンテナ接続部１２、アンテナスイッチ部１３、通信部１４の受信に係わる部分、及び送受信部１５の受信に係わる部分である。
【００２２】
次に、制御部１１は、アンテナスイッチ部１３にアンテナを切り替えさせる制御を行う（ステップＳ１０３）。即ち、外部アンテナ接続部１２に、外部アンテナが接続されているか否かを問い合わせる。そして、得られた回答を制御部１１内に記憶した上で、回答が接続されている旨であった場合、アンテナスイッチ部１３を制御して、外部アンテナに切り替えて、外部アンテナと、通信部１４とを接続させる。また、接続されていない旨であった場合、アンテナスイッチ部１３を制御して、内部アンテナ１３ａに切り替えて、内部アンテナ１３ａと、通信部１４とを接続させる。
【００２３】
なお、アンテナスイッチ部１３への電源供給が開始された際、アンテナスイッチ部１３は、いずれのアンテナも通信部１４に接続させないので、制御部１１は、上述のように、外部アンテナ接続部１２に外部アンテナが接続されているか否かを問わず、アンテナスイッチ部１３を制御して、いずれかのアンテナに切り替えさせる。
【００２４】
次に、所定の時間経過後、制御部１１は、受信に係わる各部の回路を動作させ（ステップＳ１０４、図３の時刻Ｔ３）、更に、所定の時間経過後、待ち受け受信信号の受信を開始する（ステップＳ１０５、図３の時刻Ｔ５）。ここで、待ち受け受信信号とは、待ち受け基地局から送信されるその基地局に係わる情報、その基地局に隣接して設置された基地局に係わる情報、更に、装置への着信がある場合、着信信号などである。
【００２５】
ここで、時刻Ｔ２から時刻Ｔ５までの時間は、受信に係わる各部が電源の供給を受けてから受信開始に至るまでの第１の受信準備時間である。また、時刻Ｔ３から時刻Ｔ５までの時間は、受信に係わる各部の回路が動作を開始してから受信開始に至るまでの第２の受信準備時間である。
【００２６】
待ち受け受信信号の受信を行い（ステップＳ１０６）、その受信によって着信信号が受信されない場合、制御部１１は、受信を停止させ、受信に係わる各部の回路の動作を停止させ、更に、電源部２１を制御して、受信に係わる各部への電源供給を停止させる（ステップＳ１０７、図３の時刻Ｔ６）。そして、所定の時間経過後、ＣＰＵを停止させて、ＳＬＯＴ受信を終了する（ステップＳ１０８、図３の時刻Ｔ７）。
【００２７】
ここで、制御部１１は、受信に係わる各部に電源が供給されている期間（図３の時刻Ｔ２〜時刻Ｔ６。）にあっては、アンテナ切り替え制御を行うことができる。アンテナ切り替え動作に必要な外部アンテナ接続部１２及びアンテナスイッチ部１３に電源が供給されているからである。この電源が供給されていない期間（例えば、図３の時刻Ｔ１〜時刻Ｔ２。）にアンテナ切り替え制御を行った場合、その切り替えは、その電源が供給される時刻（図３の時刻Ｔ２。）まで実行されない、または、その制御が失われる可能性がある。
【００２８】
更に、上記の受信に係わる各部に電源が供給されている期間の中で、待ち受け受信信号の受信を開始する時刻Ｔ５から所定の時間さかのぼる時刻（図３の時刻Ｔ４。）から、時刻Ｔ５に至る期間は、アンテナ切り替え準備期間とし、この期間には、制御部１１は、アンテナ切り替え制御を行わない。
【００２９】
そして、制御部１１は、受信に係わる各部に電源が供給されている期間（図３の時刻Ｔ２〜時刻Ｔ６。）であって、アンテナ切り替え準備期間（図３の時刻Ｔ４〜時刻Ｔ５。）を除く期間（図３の時刻Ｔ２〜時刻Ｔ４及び時刻Ｔ５〜時刻Ｔ６。）をアンテナ切り替え可能期間とし、制御部１１は、この期間には、アンテナ切り替え制御が可能と判断する。
【００３０】
ここで、上記さかのぼる時間（時刻Ｔ４〜時刻Ｔ５の期間の長さ。）は、制御部１１がアンテナ切り替え制御をアンテナスイッチ部１３に対して行ってから、アンテナスイッチ部１３によってアンテナ切り替えが完了するまでの所要時間である。この時間は、実測によって求め、予め制御部１１に記憶させる。
【００３１】
上記アンテナ切り替え準備期間にアンテナ切り替え制御が行われた場合、アンテナ切り替え完了以前に待ち受け受信信号の受信が開始されることになり、その受信が適切なアンテナを用いて行われない。そのため、その受信が正常に行われない可能性がある。
【００３２】
待ち受け受信信号は、待ち受け基地局から所定の時刻に送信される信号であり、この信号、特に、着信信号の受信が正常に行われないことは、移動通信網の効率的な運用のため、可能な限り避けるべきである。そこで、制御部１１は、アンテナ切り替え準備期間（時刻Ｔ４〜時刻Ｔ５。）には、アンテナ切り替え制御を行わない。
【００３３】
なお、制御部１１は、ステップＳ１０６の待ち受け受信信号受信中（図３の時刻Ｔ５〜時刻Ｔ６。）にあっては、制御部１１は、アンテナ切り替え制御を行わない。この受信が正常に行われないことを避けるため、また、この信号受信に必要な時間はわずかであることが、その理由である。
【００３４】
なお、この受信に併せて、待ち受け基地局の変更（Cell Re-selection）が行われる場合、所要時間は、待ち受け基地局の変更が行われない場合に比較して大きくなる。しかし、通話通信に比較すれば、短時間なので、制御部１１は、上記の理由によってアンテナ切り替え制御を行わない。
【００３５】
なお、時刻Ｔ１〜時刻Ｔ２の時間、時刻Ｔ２〜時刻Ｔ３の時間、時刻Ｔ３〜時刻Ｔ５の時間、及び、時刻Ｔ６〜時刻Ｔ７の時間は、それぞれ負荷量と、ＣＰＵなどのリソースの大きさによって決まるので、実測によって求め、予め制御部１１に記憶させることができる。
【００３６】
また、時刻Ｔ２〜時刻Ｔ３の時間（受信に係わる各部に電源が供給されてから、受信に係わる各部の回路を動作させるまでの時間。）には、供給された電源が安定するまでの待ち時間が含まれる。なお、時刻Ｔ５〜時刻Ｔ６の時間（待ち受け受信信号受信の時間。）は、上述のように、例えば、待ち受け基地局の変更の有無によって変化する。
【００３７】
既に説明した通り、時刻Ｔ４〜時刻Ｔ５の時間（アンテナ切り替え準備期間。）は実測によって求め、予め記憶させることができる。そこで、時刻T４（アンテナ切り替え準備期間の開始時刻。）は、時刻Ｔ２（受信に係わる各部に電源が供給された時刻。）に、記憶された実測値を加減することによって求めることができる。また、時刻Ｔ３（受信に係わる各部の回路の動作が開始された時刻。）に、記憶された実測値を加減することによって求めることができる。
【００３８】
更には、時刻Ｔ２及び時刻Ｔ３に限らず、ＳＬＯＴ受信の任意の動作が行われた時刻から、例えば、待ち受け受信信号の受信が開始される時刻までの時間を実測し、予め記憶させることにより、時刻T４（アンテナ切り替え準備期間の開始時刻。）は、その任意の動作が行われた時刻に、記憶された実測値を加減することによって求めることができる。
【００３９】
次に、連続受信時のアンテナ切り替え制御動作を説明する。図４は、連続受信時の制御部１１の制御動作のフローチャートを示し、図５は、連続受信時に、アンテナ切り替え制御が行われる時刻と、アンテナ切り替えが可能な時刻とを示す。
【００４０】
ここでは、連続受信として、ＳＬＯＴ受信時に着信信号が受信され、その着信に対して着呼処理が行われて通話通信が開始される場合を例にとる。そのため、この制御動作は、上述したＳＬＯＴ受信時の制御部１１の制御動作と同じ動作を含む。そこで、同じ動作には同じ符号を付して説明を省略する。また、同じ動作が行われる時刻には同じ符号を付して説明を省略する。
【００４１】
制御部１１は、時刻Ｔ５に開始されたステップＳ１０６の待ち受け受信信号の受信に引き続き、その信号に着信信号が含まれていたため、その着信に着呼し、アンテナ切り替え制御を行いつつ、連続受信、具体的には、通話通信を行う（ステップＳ２０１）。そして、その通話通信が終了すると、時刻Ｔ６に行われるステップＳ１０７の受信を停止させ、受信に係わる各部の回路の動作を停止させ、更に、受信に係わる各部への電源供給を停止させる動作に移る。
【００４２】
連続受信時、制御部１１は、図５の時刻Ｔ５〜時刻Ｔ６の間に示すように、所定のアンテナ切り替え時間間隔でアンテナ切り替え制御を行う。このアンテナ切り替え動作は、ステップＳ１０３の動作と同じである。ただし、上述のように、制御部１１は、ステップＳ１０３で外部アンテナ接続部１２に外部アンテナが接続されているか否かを問い合わせた際の回答（接続されている旨、または、接続されていない旨。）を制御部１１内に記憶する。
【００４３】
そこで、２回目以降にステップＳ１０３の動作を行った際、記憶された回答と、新たに外部アンテナ接続部１２に問い合わせて得られた回答とが異なる場合、アンテナスイッチ部１３を制御してアンテナを切り替えさせる。一方、同じ場合、アンテナスイッチ部１３を制御せず、言い換えると、アンテナスイッチ部１３による接続を維持させる。
【００４４】
このように、アンテナを切り替えさせる制御によって、必ずアンテナスイッチ部１３によるアンテナ切り替えが行われることを意味しない。即ち、アンテナスイッチ部１３へアンテナ切り替えの制御が送られるとは限らない。この動作により、無用な制御信号の発生を防止し、処理の軽減と、その信号が受信される信号に対してノイズとなる恐れの軽減とが可能である。
【００４５】
また、アンテナ切り替え時間間隔は、制御部１１がシステムロストが発生したか否かの判断に用いるシステムロスト閾値未満とする。ここで、システムロスト閾値は、通信部１４に与えられた高周波信号の品質が悪く、システムロスト閾値に渡って信号の受信が不可能である場合、制御部１１は、システムロストであると判断し、システムロスト閾値未満に信号の受信が可能になった場合、システムロストではないと判断するために用いられる閾値である。
【００４６】
アンテナ切り替え時間間隔をシステムロスト閾値未満とすることによって、外部アンテナの接続がされたにも係わらず、その接続が検出されないことによるシステムロスト発生を防ぐことができる。なお、システムロスト閾値は、例えば、５秒が用いられている。そこで、アンテナ切り替え時間間隔は、５秒未満であれば良く、１秒とされることがある。
【００４７】
連続受信中にアンテナ切り替えを行うと、ＳＬＯＴ受信時のアンテナ切り替え制御動作の説明で述べたように、受信へ悪い影響が及ぶ可能性がある。しかし、連続受信中に装置の使用者によって外部アンテナが外部アンテナ接続部１２に着脱される可能性は低いものの、その着脱によって、受信に使用されるアンテナを切り替えるべきである。
【００４８】
また、連続受信中に受信される信号、例えば、受話音声信号の受信へ影響が及んでも、待ち受け受信信号の受信へ影響が及んだ場合に比較すれば、移動通信網の運用への影響は少ない。そこで、上述のように、所定のアンテナ切り替え時間間隔でアンテナ切り替え制御を行う。
【００４９】
上記の連続受信時のアンテナ切り替え制御の説明は、着信信号が受信され、その着信に着呼して通話通信である連続受信が行われる場合を例にとった。しかし、この場合に限るものではない。例えば、入力装置１８の所定のキー操作によって発呼が行われた場合でも良い。この場合も、上述したように、所定のアンテナ切り替え時間間隔でアンテナ切り替え制御を行う。
【００５０】
また、連続受信は、通話通信に限らない。装置が電子メール送受信部（図示せず）を有し、電子メール受信通信であっても良い。また、ブラウザ部（図示せず）の受信通信、コンテンツダウンロード部（図示せず）の受信通信などであっても、同様に、所定のアンテナ切り替え時間間隔でアンテナ切り替え制御を行う。
【００５１】
以上の説明は、外部アンテナが外部アンテナ接続部１２に接続された際、その外部アンテナを用いて受信し、内部アンテナ１３ａは用いないとしたが、これに限るものではない。例えば、通信部１４は、外部アンテナが外部アンテナ接続部１２に接続された際、外部アンテナによって受信された高周波信号の品質と、内部アンテナ１３ａによって受信された高周波信号の品質とを測定する。そして、より良い品質で高周波信号が受信されたアンテナを用いて受信しても良い。
【００５２】
また、通信部１４は、外部アンテナが外部アンテナ接続部１２に接続された際、外部アンテナによって受信された高周波信号と、内部アンテナ１３ａによって受信された高周波信号とを用いてダイバーシティ受信を行っても良い。ダイバーシティ受信にあたり、主とする高周波信号は、外部アンテナによって受信された高周波信号としても良く、品質が良い高周波信号としても良い。
【００５３】
これらの通信部１４による処理は、上述したように、制御部１１が外部アンテナ接続部１２から外部アンテナが接続されている旨の回答を得た場合、制御部１１の制御によって行われる。なぜなら、外部アンテナが接続されていない場合、これらの通信部１４による処理は効果がないからである。
【００５４】
更には、送受信部１５は、外部アンテナによって受信された高周波信号を復調した信号と、内部アンテナ１３ａによって受信された高周波信号を復調した信号とを用いてダイバーシティ受信を行っても良い。
【００５５】
また、以上の説明は、制御部１１は、ＣＰＵと、ＣＰＵによって使用されるプログラムからなるとした。また、受信に係わる各部は、ハードウェア回路であるとした。しかし、これらに限るものではない。本発明は以上の構成に限定されるものではなく、種々の変形が可能である。
【図面の簡単な説明】
【００５６】
【図１】本発明の実施形態に係る移動通信端末装置の構成を示すブロック図。
【図２】本発明の実施形態に係る制御部の制御動作のフローチャート（ＳＬＯＴ受信時）。
【図３】本発明の実施形態に係るアンテナ切り替え制御が行われる時刻と、アンテナ切り替えが可能な時刻とを示す図（ＳＬＯＴ受信時）。
【図４】本発明の実施形態に係る制御部の制御動作のフローチャート（連続受信時）。
【図５】本発明の実施形態に係るアンテナ切り替え制御が行われる時刻と、アンテナ切り替えが可能な時刻とを示す図（連続受信時）。
【符号の説明】
【００５７】
１１  制御部
１２  外部アンテナ接続部
１３  アンテナスイッチ部
１３ａ  内部アンテナ
１４  通信部
１５  送受信部
１６ｃ  通話部
１７  表示部
１８  入力装置
２１  電源部
【図１】
2008301040.tif 000003
【図２】
2008301040.tif 000004
【図３】
2008301040.tif 000005
【図４】
2008301040.tif 000006
【図５】
2008301040.tif 000007